(57)【要約】【課題】画像形成ジョブ間で画像形成条件を部分的に引き継がせる。【解決手段】画像形成ジョブを実行することで複数のパラメーターからなる画像形成条件に応じた画像形成を行う画像形成部１９と、画像形成部１９で実行される複数の画像形成ジョブ間で引き継ぐ前記画像形成条件のパラメーターを選択的に指定させる引継指定部としてのパネル制御部１５と、前記パラメーターの指定による引継条件を記憶する記憶部１１とを備え、前記画像形成部１９が、前記引継条件を前記画像形成条件に適用して前記画像形成ジョブを実行することを特徴とする。【選択図】図１
2012143952.tif 000002
【特許請求の範囲】
【請求項１】
画像形成ジョブを実行することで複数のパラメーターからなる画像形成条件に応じた画像形成を行う画像形成部と、
前記画像形成部で実行される複数の画像形成ジョブ間で引き継ぐ前記画像形成条件のパラメーターを選択的に指定させる引継指定部と、
前記パラメーターの指定による引継条件を記憶する記憶部とを備え、
前記画像形成部が、前記引継条件を前記画像形成条件に適用して前記画像形成ジョブを実行する、
ことを特徴とする画像形成装置。
【請求項２】
請求項１記載の画像形成装置であって、
前記引継条件のパラメーターの指定は、前記パラメーターの設定値を指定することで行われる、
ことを特徴とする画像形成装置。
【請求項３】
請求項１又は２記載の画像形成装置であって、
前記画像形成部による画像形成結果の画像を表示する表示部を備え、
前記引継指定部は、前記表示部による前記画像の表示により前記引継条件のパラメーターの変更を受け付ける、
ことを特徴とする画像形成装置。
【請求項４】
請求項１〜３の何れかに記載の画像形成装置であって、
前記引継条件のパラメーターと前記パラメーターに対応する前記画像形成条件のパラメーターとを比較するパラメーター比較部を備え、
前記画像形成部は、前記引継条件のパラメーターと前記画像形成条件のパラメーターとが相違する場合に、前記引継条件のパラメーター、前記画像形成条件のパラメーター或いはデフォルト設定されたパラメーターの何れかを優先適用する、
ことを特徴とする画像形成装置。
【請求項５】
請求項４記載の画像形成装置であって、
前記引継条件を指定したユーザーと前記画像形成ジョブのユーザーとを比較するユーザー比較部を備え、
前記ユーザー比較部は、前記引継条件のパラメーターと前記画像形成条件のパラメーターとが相違する場合に前記ユーザーの比較を行い、
前記画像形成部は、前記ユーザーが一致する場合に前記画像形成条件のパラメーターを優先適用する、
ことを特徴とする画像形成装置。
【請求項６】
請求項５記載の画像形成装置であって、
前記ユーザーが相違する場合に、前記引継条件のパラメーター、前記画像形成条件のパラメーター或いはデフォルト設定されたパラメーターの何れかの優先適用を選択させる選択部を備えた、
ことを特徴とする画像形成装置。
【請求項７】
請求項１〜３の何れかに記載の画像形成装置であって、
前記引継条件を指定したユーザーと前記画像形成ジョブのユーザーとを比較するユーザー比較部を備え、
前記画像形成部は、前記ユーザーが一致する場合に前記引継条件の適用を有効とする、
ことを特徴とする画像形成装置。
【請求項８】
画像形成ジョブを実行することで複数のパラメーターからなる画像形成条件に応じた画像形成を行う画像形成手順と、
前記画像形成手順で実行される複数の画像形成ジョブ間で引き継ぐ前記画像形成条件のパラメーターを選択的に指定させる引継指定手順と、
前記パラメーターの指定による引継条件を記憶する記憶手順とをコンピューターに実行させ、
前記画像形成手順が、前記引継条件を前記画像形成条件に適用して前記画像形成ジョブを実行する、
ことを特徴とする画像形成プログラム。
【請求項９】
請求項８記載の画像形成プログラムであって、
前記引継指定手順でのパラメーターの指定は、前記パラメーターの設定値を指定することで行われる、
ことを特徴とする画像形成プログラム。
【請求項１０】
請求項８又は９記載の画像形成プログラムであって、
前記画像形成手順によって形成される画像を表示する表示手順を備え、
前記引継指定手順は、前記表示部による前記画像の表示に応じて前記引継条件のパラメーターの変更を受け付ける、
ことを特徴とする画像形成プログラム。
【請求項１１】
請求項８〜１０の何れかに記載の画像形成プログラムであって、
前記引継条件のパラメーターと前記パラメーターに対応する前記画像形成条件のパラメーターとを比較するパラメーター比較手順を備え、
前記画像形成手順は、前記引継条件のパラメーターと前記画像形成条件のパラメーターとが相違する場合に、前記引継条件のパラメーター、前記画像形成条件のパラメーター或いはデフォルト設定されたパラメーターの何れかを優先適用する、
ことを特徴とする画像形成プログラム。
【請求項１２】
請求項１１記載の画像形成プログラムであって、
前記引継条件を指定したユーザーと前記画像形成ジョブのユーザーとを比較するユーザー比較手順を備え、
前記ユーザー比較手順は、前記引継条件のパラメーターと前記画像形成条件のパラメーターとが相違する場合に前記ユーザーの比較を行い、
前記画像形成手順は、前記ユーザーが一致する場合に前記画像形成条件のパラメーターを優先適用する、
ことを特徴とする画像形成プログラム。
【請求項１３】
請求項１２記載の画像形成プログラムであって、
前記ユーザーが相違する場合に、前記引継条件のパラメーター、前記画像形成条件のパラメーター或いはデフォルト設定されたパラメーターの何れかの優先適用を選択させる選択手順を備えた、
ことを特徴とする画像形成プログラム。
【請求項１４】
請求項８〜１０の何れかに記載の画像形成プログラムであって、
前記引継条件を指定したユーザーと前記画像形成ジョブのユーザーとを比較するユーザー比較手順を備え、
前記画像形成手順は、前記ユーザーが一致する場合に前記引継条件の適用を有効とする、
ことを特徴とする画像形成プログラム。
【発明の詳細な説明】
【技術分野】
【０００１】
本発明は、複数の画像形成ジョブ間で画像形成条件を引き継いで画像形成を行う画像形成装置及び画像形成プログラムに関する。
【背景技術】
【０００２】
従来の画像形成装置としては、例えば特許文献１のように、画像形成条件として印刷条件が設定されてから所定の時間が経過するまで維持されるものがある。
【０００３】
このような画像形成装置では、維持されている印刷条件を複数の画像形成ジョブである印刷ジョブ間で引き継がせ、共通の印刷条件に基づいた印刷物を容易に得ることができる。
【０００４】
しかしながら、従来の画像形成装置では、維持されている印刷条件をそのまま複数の印刷ジョブ間で引き継ぐため、印刷条件の部分的な引き継ぎができず、ユーザーの利便性の向上に限界があった。
【先行技術文献】
【特許文献】
【０００５】
【特許文献１】特開２００８−２４２３４１号公報
【発明の概要】
【発明が解決しようとする課題】
【０００６】
本発明が解決しようとする問題点は、画像形成ジョブ間で画像形成条件を部分的に引き継がせることができなかった点である。
【課題を解決するための手段】
【０００７】
本発明は、画像形成ジョブ間で画像形成条件を部分的に引き継がせるため、画像形成ジョブを実行することで複数のパラメーターからなる画像形成条件に応じた画像形成を行う画像形成部と、前記画像形成部で実行される複数の画像形成ジョブ間で引き継ぐ前記画像形成条件のパラメーターを選択的に指定させる引継指定部と、前記パラメーターの指定による引継条件を記憶する記憶部とを備え、前記画像形成部が、前記引継条件を前記画像形成条件に適用して前記画像形成ジョブを実行することを最も主要な特徴とする。
【発明の効果】
【０００８】
本発明によれば、画像形成ジョブ間で引き継ぐ画像形成条件をパラメーター毎に設定することができ、画像形成ジョブ間で画像形成条件を部分的に引き継がせることができる。
【図面の簡単な説明】
【０００９】
【図１】画像形成装置のブロック図である（実施例１）。
【図２】画像形成処理のフローチャートである（実施例１）。
【図３】操作パネル上での結果画面表示の一例である（実施例１）。
【図４】変形例に係る画像形成装置を示すブロック図である（実施例１）。
【図５】画像形成装置を示すブロック図である（実施例２）。
【図６】画像形成装置を示すブロック図である（実施例３）。
【図７】画像形成処理のフローチャートである（実施例３）。
【図８】選択入力の受付画面表示の一例である（実施例３）。
【図９】変形例に係る画像形成処理のフローチャートである（実施例３）。
【図１０】画像形成装置を示すブロック図である（実施例４）。
【図１１】画像形成処理のフローチャートである（実施例４）。
【発明を実施するための形態】
【００１０】
画像形成ジョブ間で画像形成条件を部分的に引き継がせるという目的を、複数の画像形成ジョブ間で引き継ぐ画像形成条件のパラメーターを選択的に指定させることで実現した。
【実施例１】
【００１１】
［画像形成装置の構成］
図１は本発明の実施例１に係る画像形成装置を示すブロック図である。
【００１２】
図１の画像形成装置１は、コピー機能やプリンター機能を備えたデジタル複合機として構成され、画像形成ジョブとしての印刷ジョブを実行することで用紙上に画像を印刷出力する。
【００１３】
この画像形成装置１は、スキャナー部３、操作パネル部５、ネットワーク通信部７、印刷部９、記憶部１１、制御部１３等を備えている。
【００１４】
スキャナー部３は、原稿画像を読み取り、読み取られた画像に対応する画像データを制御部１３に出力する。
【００１５】
操作パネル部５は、タッチパネル式の液晶表示画面等からなり、画像形成装置１に対する操作入力や操作状況等の表示を行わせる。
【００１６】
ネットワーク通信部７は、ＬＡＮ等の通信網を介して接続されたユーザー端末に対するデータの送受信を制御する。
【００１７】
印刷部９は、スキャナー部３で読み取られるか或いはユーザー端末から送信された画像データに基づいて用紙上に画像を形成する。
【００１８】
記憶部１１は、主記憶装置であるＲＡＭ（Random Access Memory）及びＲＯＭ（Read Only Memory）や補助記憶装置であるハードディスク等から構成されている。この記憶部１１は、画像形成装置１の各種動作に必要なソフトウェアプログラムや設定データ等を記憶している。
【００１９】
制御部１３は、ＣＰＵ（Central Process Unit）等の制御要素からなり、記憶部１１内のソフトウェアプログラムを実行して画像形成装置１の制御や作業を行わせる、本実施例の制御部１３は、画像形成プログラムを実行することで、引継指定部及び表示部としてのパネル制御部１５、スキャナー制御部１７、画像形成部１９を備える。
【００２０】
パネル制御部１５は、操作パネル部５上での操作入力の受け付け及び操作パネル部５への表示を制御する。このパネル制御部１５は、コピー機能時に、操作パネル部５上での操作入力によって印刷ジョブを受け付ける。なお、印刷ジョブは、プリンター機能時にユーザー端末からも受け付け可能であるが、これについては変形例として後述する。
【００２１】
印刷ジョブの受け付けは、スキャナー部３に対する読み取り指示及び画像形成条件である印刷条件の設定等によって行われる。設定された印刷条件は、画像形成部１９に出力される。
【００２２】
印刷条件の設定では、複数のパラメーターに設定値を付与することで行われる。設定されるパラメーターとしては、例えば両面印刷や集約印刷（Ｎｉｎ１）等のレイアウト設定、フォント設定、及び給紙元、排紙先、用紙サイズ、コピー枚数、ページ方向等の用紙設定の他、所望の印刷物を得るために設定可能なパラメーターが含まれる。
【００２３】
また、パネル制御部１５は、操作パネル部５上での操作入力により、複数の印刷ジョブ間で引き継ぐ印刷条件のパラメーターを選択的に指定させる。この指定では、印刷条件の設定と同様に、選択されたパラメーターの設定値が指定される。パネル制御部１５は、指定されたパラメーター及び設定値を引継条件として記憶部１１内に記憶する。
【００２４】
指定可能なパラメーターとしては、例えば上記の両面印刷や集約印刷（Ｎｉｎ１）等のレイアウト設定、フォント設定、及び給紙元、排紙先、用紙サイズ、コピー枚数、ページ方向等の用紙設定等である。
【００２５】
なお、引継条件の設定は、印刷ジョブ受け付け時に、印刷条件の設定と共に行わせることも可能である。この場合は、印刷条件として設定値が与えられる複数のパラメーターに対し、引き継ぐか否かを選択させればよい。
【００２６】
また、パネル制御部１５は、後述する引継条件の適用された印刷条件が入力されると、その印刷条件に基づく結果画像を操作パネル部５上に表示させる。この表示により、パネル制御部１５は、操作パネル部５上で引継条件のパラメーターの変更を受け付ける。パラメーターの変更は画像形成部１９に出力される。また、変更が行われない場合は、画像形成指示を画像形成部１９に出力する。
【００２７】
スキャナー制御部１７は、パネル制御部１５がスキャナー部３に対する読み取り指示を受け付けることでスキャナー部３の読み取り制御を行う。この読み取り制御により、スキャナー部３からの画像データを画像形成部１９に出力する。
【００２８】
画像形成部１９は、スキャナー制御部１７と共に印刷ジョブを実行し印刷条件に応じた画像形成として出力画像データの形成及び印刷出力を行う。画像形成部１９は、画像処理部２１及び印刷制御部２３を備えている。
【００２９】
画像処理部２１は、画像データに対して印刷条件に応じた出力画像データの形成を行い、形成した出力画像データを印刷制御部２３に出力する。
【００３０】
引継条件が記憶部１１に記憶されている場合は、引継条件を読み出して印刷条件に適用し、その印刷条件をパネル制御部１５に出力する。出力後は、パネル制御部１５からの画像形成指示が入力されると、印刷条件に応じた出力画像データの形成を行う。
【００３１】
また、画像処理部２１は、パネル制御部１５からの入力に応じて、引継条件のパラメーターを変更して印刷条件に適用する。変更後には、再度、パネル制御部に印刷条件を出力する。
【００３２】
印刷制御部２３は、入力された出力画像データに基づき印刷条件に応じた印刷出力を印刷部９に行わせる。
［画像形成処理］
図２は、本発明の実施例１に係る画像形成処理のフローチャートである。
【００３３】
画像形成装置１では、図２のステップＳ１のように、引継指定手順の一部として「引継条件の設定」の処理が実行される。すなわち、パネル制御部１５は、操作パネル部５上での操作入力により、引継条件としてのパラメーターの設定値を選択的に指定させる。指定されたパラメーターの設定値は、引継条件として記憶部１１内に記憶される。これにより、ステップＳ２に移行する。
【００３４】
ステップＳ２では、「印刷ジョブの受付」の処理が実行される。すなわち、操作パネル部５上での操作入力により、スキャナー部３に対する読み取り指示及び印刷条件の設定等が行われる。これにより、ステップＳ３に移行する。
【００３５】
ステップＳ３では、画像形成手順の一部として「引継条件の適用」の処理が実行される。すなわち、画像形成部１９は、画像処理部２１が記憶部１１から引継条件を読み出すと共に読み出した引継条件を印刷ジョブの印刷条件に適用する。これにより、印刷条件に引継条件が引き継がれてステップＳ４に移行する。
【００３６】
ステップＳ４では、表示手順として「結果画像の表示」の処理が行われる。すなわち、パネル制御部１５は、画像処理部２１から引継条件が引き継がれた印刷条件（引継後印刷条件）を受け取る。これに応じて、パネル制御部１５は、引継後印刷条件による画像形成結果の概略を結果画像として操作パネル部５上に表示させる。結果画像表示の際には、引継条件を適用する前の印刷条件（オリジナル印刷条件）に応じたオリジナル画像も表示する。
【００３７】
図３は、操作パネル上での結果画面表示の一例を示している。図３は、オリジナル印刷条件としてステープル２点左が設定され、引継条件としてパンチ２穴左及びステープル１点左上が設定された場合である。
【００３８】
図３のように、表示画面２５上では、オリジナル画像２７と結果画像２９とが並列に表示される。従って、ユーザーは、結果画像２９が所望の結果であるか否かをオリジナル画像２７との対比によって容易に確認することができる。
【００３９】
この表示画面２５上では、引継条件が設定されている旨及びオリジナル印刷条件が無効である旨、並びにＯＫ及びＮＧの選択ボタン３１，３３も表示させる。これにより、ステップＳ５へ移行する。
【００４０】
ステップＳ５では、「表示結果でＯＫ？」の処理が実行される。すなわち、パネル制御部１５は、ＯＫ、ＮＧの選択ボタン３１，３３によって結果画像２９に対する可否を選択させる。ＯＫの選択ボタン３１が入力された場合にはステップＳ６へ移行し、ＮＧの選択ボタン３３が入力された場合にはステップＳ７へ移行する。
【００４１】
ステップＳ６では、画像形成手順の一部として「出力画像データの形成」の処理が実行される。すなわち、パネル制御部１５は、選択ボタン３１の選択に応じて画像処理部２１に画像形成指示を出力する。これにより、画像処理部２１は、引継後印刷条件に応じた出力画像データを形成して印刷制御部に出力する。これにより、ステップＳ８に移行する。
【００４２】
ステップＳ８では、画像形成手順の一部として「印刷出力」の処理が実行される。すなわち、印刷制御部２３は、出力画像データ及び引継後印刷条件に基づき、印刷部９に対して用紙上に画像の印刷出力を行わせる。
【００４３】
上記ＮＧの場合のステップＳ７では、引継指定手順の一部として「引継条件の変更」の処理が実行される。すなわち、パネル制御部１５は、選択ボタン３３の入力に応じて、操作パネル部５上で引継条件のパラメーターの変更を受け付ける。変更条件は、パネル制御部１５から画像形成部１９の画像処理部２１に入力されて引継条件に適用される。その後は、ステップＳ４へ戻り、以下の処理が繰り返される。
【００４４】
こうして各印刷ジョブの印刷条件に対して指定された引継条件を適用し、複数の印刷ジョブ間で印刷条件を部分的に引き継がせることができる。
［実施例１の効果］
本実施例の画像形成装置１は、印刷ジョブを実行することで複数のパラメーターからなる印刷条件に応じた画像形成を行う画像形成部１９と、画像形成部１９で実行される複数の画像形成ジョブ間で引き継ぐ印刷条件のパラメーターを選択的に指定させる引継指定部であるパネル制御部１５と、このパラメーターの指定による引継条件を記憶する記憶部１１とを備え、画像形成部１９が、引継条件を印刷条件に適用して印刷ジョブを実行する。
【００４５】
従って、本実施例では、印刷ジョブ間で引き継ぐ印刷条件をパラメーター毎に設定することができ、印刷条件を部分的に引き継がせてユーザーの利便性を向上することができる。
【００４６】
また、引継条件のパラメーターの指定は、このパラメーターの設定値を指定することで行われる。
【００４７】
従って、本実施例では、引継条件のパラメーターの設定値を指定し、これを印刷ジョブ間で引き継がせるため、一度引継条件を設定しておけば、その内容を以降の印刷ジョブに対して容易に適用させることができる。
【００４８】
また、本実施例の画像形成装置１は、画像形成部１９による画像形成結果の結果画像２９を表示する表示部であるパネル制御部１５を備え、パネル制御部１５による画像の表示により引継条件のパラメーターの変更を受け付ける。
【００４９】
従って、本実施例では、結果画像２９を確認しながら引継条件のパラメーターを変更することができ、ユーザーが所望する結果を容易且つ確実に得ることができる。
【００５０】
特に、本実施例では、引継条件を印刷条件に適用する場合、引継条件のパラメーターに引きずられて関連する印刷条件の他のパラメーターも変更されることがあるが、このような不具合を容易且つ確実に防止できる。
［変形例］
図４は、本発明の実施例１の変形例に係る画像形成装置を示すブロック図である。
【００５１】
本変形例では、プリンター機能時の印刷ジョブに対する画像形成処理を行う場合について説明する。
【００５２】
すなわち、本変形例では、図４のように、パーソナルコンピューター等からなるユーザー端末３５のプリンタードライバー３７内に表示部３９が形成されている。ユーザー端末３５は、ＣＰＵ等からなる制御部によりプログラムを実行することでプリンタードライバー３７を備える。
【００５３】
プリンタードライバー３７は、印刷条件を受け付けて原稿画像データに対する印刷ジョブとしてＰＤＬ（ページ記述言語）データを生成する。生成されたＰＤＬデータは、画像形成装置１側に出力される。
【００５４】
表示部３９は、画像形成装置１側から引継後印刷条件が入力されると、その引継後印刷条件に基づく図３の結果画像２５をユーザー端末３５のモニター上に表示させる。この表示により、プリンタードライバー３７は、引継条件のパラメーターの変更を受け付ける。パラメーターの変更は画像形成装置１側に出力される。
【００５５】
画像形成装置１は、上記実施例１と同一構成であるため、重複した省略を省略する。
【００５６】
本変形例の画像形成処理でも、図２のフローチャートが実行される。具体的には、ステップＳ１において引継条件の設定が行われた後、ステップＳ２においてユーザー端末３５のプリンタードライバー３７上での操作入力により、ＰＤＬデータの生成及び出力が行われる。
【００５７】
次いで、ステップＳ３では、画像形成装置１側で、画像形成部１９の画像処理部２１がＰＤＬデータを受信して画像形成の処理を行う。この処理では、上記同様に画像処理部２１が記憶部１１から引継条件を読み出すと共に読み出した引継条件を印刷ジョブの印刷条件に適用する。  
【００５８】
次いで、ステップＳ４では、引継後印刷条件を画像処理部２１からネットワーク通信部７を介してユーザー端末３５のプリンタードライバー３７が受け取る。プリンタードライバー３７は、その引継後印刷条件による結果画像２９を表示部３９によってモニター上に表示させる。
【００５９】
表示画面２５上では、オリジナル画像２７やＯＫ及びＮＧの選択ボタン３１，３３等も表示させ、その後は、ステップＳ５〜Ｓ８が上記実施例１同様に行われる。
【００６０】
従って、本変形例においても、上記実施例１と同様の作用効果を奏することができる。
【実施例２】
【００６１】
図５は、本発明の実施例２に係る画像形成装置を示すブロック図である。なお、本実施例は、上記実施例１と基本構成が共通するため、対応する構成部分に同符号或いは同符号にＡを付加して重複した説明を省略する。
【００６２】
本実施例の画像形成装置１Ａは、図５のように、ユーザー端末３５Ａからも引継条件を設定可能としたものである。
【００６３】
すなわち、ユーザー端末３５Ａは、ＣＰＵ等からなる制御部によりユーティリティープログラムを実行することで、引継指定部としてのユーティリティー部４１を備えている。
【００６４】
ユーティリティー部４１は、画像形成装置１Ａのパネル制御部１５同様、ユーザー端末３５Ａでの操作入力により、複数の印刷ジョブ間で引き継ぐ印刷条件のパラメーターを選択的に指定させる。指定されたパラメーター及び設定値は、ユーティリティー部４１から画像形成装置１Ａのネットワーク通信部７を介して記憶部１１内に記憶される。
【００６５】
本実施例の画像形成処理では、ユーザー端末３５Ａ側で引継条件を設定する以外、上記実施例１及びその変形例と同様に処理が行われる。
【００６６】
従って、本実施例においても、上記実施例と同様の作用効果を奏することができる。
【実施例３】
【００６７】
［画像形成装置の構成］
図６は、本発明の実施例３に係る画像形成装置を示すブロック図である。なお、本実施例は、上記実施例１と基本構成が共通するため、対応する構成部分に同符号或いは同符号にＢを付加して重複した説明を省略する。
【００６８】
本実施例は、引継条件のパラメーターと印刷ジョブのオリジナル印刷条件のパラメーターとが相違する場合に、引継条件のパラメーター、オリジナル印刷条件のパラメーター或いはデフォルト設定されたパラメーターの何れかを優先適用するものである。本実施例では、オリジナル印刷条件のパラメーターを優先適用する場合について説明する。
【００６９】
すなわち、本実施例の画像形成装置１Ｂでは、図６のように、制御部１３Ｂがスキャナー制御部１７、パネル制御部１５Ｂ及び画像形成部１９Ｂに加えて、パラメーター比較部４３及びユーザー比較部４５を備えている。また、画像形成装置１Ｂでは、画像形成部１９Ｂのパネル制御部１５Ｂが選択部として機能する。
【００７０】
パラメーター比較部４３は、引継条件のパラメーターとこのパラメーターに対応する印刷ジョブのオリジナル印刷条件のパラメーターとを比較する。両パラメーターが一致する場合は、パラメーター比較部４３が画像処理部２１Ｂに対して画像形成指示を出力し、相違する場合は、パラメーターの比較結果と共に引継条件をユーザー比較部４５に出力する。
【００７１】
ユーザー比較部４５は、引継条件を設定したユーザーと印刷ジョブのユーザーとを比較する。このユーザー比較部４５は、両ユーザーが一致する場合、画像処理部２１Ｂに対して画像形成指示を出力し、相違する場合、ユーザーの比較結果と共に引継条件を画像形成部１９Ｂの画像処理部２１Ｂに出力する。
【００７２】
ユーザーの比較としては、コピー機能時の印刷ジョブの場合、例えば引継条件の設定時及び印刷ジョブの受け付け時にユーザー名及びログインパスワードを入力させ、これらをユーザー比較部４５が比較する。なお、引継条件設定時のユーザー名及びログインパスワードは、記憶部１１内に記憶される。
【００７３】
プリンター機能時の印刷ジョブの場合は、例えばユーザー比較部４５がＰＤＬデータからユーザー情報を取得し、これを記憶部１１内の引継条件設定時のユーザー名及びログインパスワードに対応するユーザー情報と比較する。
【００７４】
画像処理部２１Ｂは、画像形成指示が入力された場合、印刷ジョブのオリジナル印刷条件に応じて出力画像データを形成すると共に印刷制御部２３に出力する。
【００７５】
一方、引継条件と共にユーザー比較結果が入力された場合は、オリジナル印刷条件を優先適用の可否の選択入力に基づいて、オリジナル印刷条件のパラメーターを優先適用する。
【００７６】
具体的には、選択部としてのパネル制御部１５Ｂ又はユーザー端末３５Ｂのプリンタードライバー３７Ｂに対して選択指示を出力する。
【００７７】
パネル制御部１５Ｂは、画像処理部２１Ｂからの選択指示により、操作パネル部５上でオリジナル印刷条件に対する優先適用の可否の選択入力を受け付ける。受け付けた選択入力に基づき、パネル制御部１５Ｂは、画像形成指示又は形成中止指示を画像処理部２１Ｂに出力する。
【００７８】
プリンタードライバー３７Ｂは、パネル制御部１５Ｂ同様、画像処理部２１Ｂからの選択指示により、ユーザー端末３５Ｂ上でオリジナル印刷条件に対する優先適用の可否の選択入力を受け付け、受け付けた選択入力を画像処理部２１Ｂに出力する。
［画像形成処理］
図７は、本発明の実施例３に係る画像形成処理のフローチャートである。
【００７９】
本実施例では、上記実施例１と同様、まずステップＳ１の「引継条件の設定」及びステップＳ２の「印刷ジョブの受け付け」の処理が実行される。その後、ステップＳ１３に移行する。
【００８０】
ステップＳ１３では、パラメーター比較手順として「パラメーターが一致？」の処理が実行される。すなわち、画像形成部１９Ｂのパラメーター比較部４３は、記憶部１１から引継条件を読み出し、引継条件のパラメーターとこれに対応する印刷ジョブのオリジナル印刷条件のパラメーターとを比較する。
【００８１】
両パラメーターが一致する場合は、画像形成指示を画像処理部２１Ｂに対して出力してステップＳ１４へ移行し、相違する場合は、パラメーターの比較結果を引継条件と共にユーザー比較部４５に出力してステップＳ１５へ移行する。
【００８２】
ステップＳ１４では、画像形成手順の一部として「オリジナル印刷条件の優先適用」の処理が実行される。すなわち、画像処理部２１Ｂは、画像形成指示に応じてオリジナル印刷条件を優先適用する。これにより、ステップＳ１６へ移行する。
【００８３】
ステップＳ１６では、「出力画像データの形成」の処理を実行し、画像処理部２１Ｂが印刷条件に応じた出力画像データを形成して印刷制御部２３に出力する。これにより、ステップＳ８に移行し、実施例１同様に「印刷出力」の処理を実行する。
【００８４】
ステップＳ１５では、ユーザー比較手順として「ユーザーが一致？」の処理が実行される。すなわち、ユーザー比較部４５は、引継条件を設定したユーザーと印刷ジョブのユーザーとを比較する。両ユーザーが一致する場合には、ユーザー比較部４５が画像処理部２１Ｂに対して画像形成指示を出力してステップＳ１４へ移行し、相違する場合には、ユーザーの比較結果と共に引継条件を画像処理部２１Ｂに出力してステップＳ１７へ移行する。
【００８５】
ステップＳ１７では、選択手順として「オリジナル条件の優先適用ＯＫ？」の処理が実行される。すなわち、画像処理部２１Ｂは、ユーザーの比較結果と共に引継条件が入力されると、パネル制御部１５Ｂ又はユーザー端末３５Ｂのプリンタードライバー３７Ｂに対してパラメーターの選択指示を出力する。
【００８６】
これに応じ、パネル制御部１５Ｂ又はプリンタードライバー３７Ｂは、オリジナル印刷条件に対する優先適用の可否（ＯＫ、ＮＧ）の選択入力を受け付ける。
【００８７】
図８は、選択入力の受付画面表示の一例を示している。図８は、引継条件のパラメーターＡ（例えばレイアウト設定、フォント設定、及び用紙設定等の何れか）の設定値が１０である場合に、対応するオリジナル印刷条件のパラメーターＡが１００であった場合を示している。
【００８８】
図８のように、受付画面４７上では、引継条件のパラメーターの設定値及び対応するオリジナル印刷条件のパラメーターの設定値と共に選択入力受け付け用のＯＫ及びＮＧの選択ボタン４９，５１も表示させる。
【００８９】
受け付けた選択入力が優先適用ＯＫの場合は、パネル制御部１５Ｂが画像形成指示を画像処理部２１Ｂに出力してステップＳ１４へ移行し、以下の処理が実行される。受け付けた選択入力が優先適用ＮＧの場合は、パネル制御部１５Ｂが形成中止指示を画像処理部２１Ｂに出力して画像形成処理が終了する（画像形成がキャンセルされる）。
【００９０】
なお、引継条件のパラメーター又はデフォルト設定のパラメーターを優先適用する場合は、上記オリジナル印刷条件を引継条件のパラメーター又はデフォルト設定のパラメーターに変更した画像形成プログラムを用いればよい。
［実施例３の効果］
本実施例においても、上記実施例１と同様の作用効果を奏することができる。
【００９１】
加えて、本実施例では、引継条件のパラメーターとこのパラメーターに対応する印刷条件のパラメーターとを比較するパラメーター比較部４３を備え、画像形成部１９Ｂが引継条件のパラメーターと印刷条件のパラメーターとが相違する場合に、引継条件のパラメーター、印刷条件のパラメーター或いはデフォルト設定されたパラメーターの何れかを優先適用する。
【００９２】
従って、本実施例では、引継条件のパラメーターとこれに対応する印刷条件のパラメーターとが相違する場合であっても、引継条件のパラメーター、印刷条件のパラメーター或いはデフォルト設定されたパラメーターの何れかを優先適用することで、所定の印刷物を得ることができる。
【００９３】
また、本実施例では、引継条件を指定したユーザーと印刷ジョブのユーザーとを比較するユーザー比較部４５を備え、ユーザー比較部４５が、引継条件のパラメーターと対応する印刷条件のパラメーターとが相違する場合に前記ユーザーの比較を行い、画像形成部１９Ｂが、ユーザーが一致する場合に印刷条件のパラメーターを優先適用する。
【００９４】
従って、本実施例では、両ユーザーが一致する場合、印刷条件のパラメーターの優先適用が選択されていると判断して、容易に且つ確実にユーザー所望の印刷物を得ることができる。
【００９５】
また、両ユーザーが相違する場合には、オリジナル印刷条件のパラメーターに対する優先適用の可否を選択させる選択部としてのパネル制御部１５Ｂを備えている。
【００９６】
従って、本実施例では、両ユーザーが相違する場合であっても、オリジナル印刷条件を優先適用させて容易に且つ確実にユーザー所望の印刷物を得ることができる。
［変形例］
なお、実施例３では、引継条件のパラメーターと印刷ジョブのオリジナル印刷条件のパラメーターとが相違する場合に、優先適用するパラメーターを、引継条件、オリジナル印刷条件或いはデフォルト設定から選択させることも可能である。
【００９７】
すなわち、変形例に係る画像形成装置１Ｂでは、画像処理部２１Ｂに引継条件と共にユーザー比較結果が入力された場合、パネル制御部１５Ｂ又はユーザー端末３５Ｂのプリンタードライバー３７Ｂに対して優先させるパラメーターの選択指示を出力し、パネル制御部１５Ｂ又はプリンタードライバー３７Ｂからの選択入力により選択されたパラメーターを優先適用する。
【００９８】
パネル制御部１５Ｂは、画像処理部２１Ｂからの選択指示に応じ、操作パネル部５上で引継条件のパラメーター、対応するオリジナル印刷条件のパラメーター或いはデフォルト設定されたパラメーターの何れをかの優先適用の選択入力を受け付ける。受け付けた選択入力は、画像処理部２１Ｂに出力される。
【００９９】
プリンタードライバー３７Ｂも、パネル制御部１５Ｂ同様、画像処理部２１Ｂからの選択指示に応じ、ユーザー端末３５Ｂ上でパラメーター優先適用の選択入力を受け付け、受け付けた選択入力を画像処理部２１Ｂに出力する。
【０１００】
図９は、実施例３の変形例に係る画像形成処理のフローチャートである。
【０１０１】
本変形例では、上記実施例３のステップＳ１７に代えてステップＳ１８及びＳ１９が行われる。すなわち、ステップＳ１８では、「優先適用の選択」の処理が実行される。画像処理部２１Ｂは、ユーザーの比較結果と共に引き継ぎ条件が入力されると、パネル制御部１５Ｂ又はユーザー端末３５Ｂのプリンタードライバー３７Ｂに対してパラメーターの選択指示を出力する。
【０１０２】
これに応じ、パネル制御部１５Ｂ又はプリンタードライバー３７Ｂは、引継条件のパラメーター、対応するオリジナル印刷条件のパラメーター或いはデフォルト設定されたパラメーターの何れを優先適用するかの選択入力を受け付ける。
【０１０３】
受け付けた選択入力が画像処理部２１Ｂに出力され、ステップＳ１９へ移行する。
【０１０４】
ステップＳ１９では、「選択条件の優先適用」の処理を実行する。すなわち、画像処理部２１Ｂは、受け付けた選択入力に応じて引継条件のパラメーター、オリジナル印刷条件のパラメーター或いはデフォルト設定されたパラメーターの何れを優先適用する。これにより、ステップＳ１６へ移行し、印刷出力が行われる。
【０１０５】
従って、本変形例においても、上記実施例３と同様の作用効果を奏することができる。
【０１０６】
実施例３においても、上記実施例２のように引継条件をユーザー端末側で設定可能とする構成を採用してもよい。
【実施例４】
【０１０７】
［画像形成装置］
図１０は、本発明の実施例４に係る画像形成装置を示すブロック図である。なお、本実施例は、上記実施例１と基本構成が共通するため、対応する構成部分に同符号或いは同符号にＣを付加して重複した説明を省略する。
【０１０８】
本実施例の画像形成装置１Ｃは、引継条件を指定したユーザーと印刷ジョブのユーザーとが一致する場合に引継条件の適用を有効とするものである。
【０１０９】
すなわち、画像形成装置１Ｃは、図１０のように、引継条件を指定したユーザーと印刷ジョブのユーザーとを比較するユーザー比較部４５Ｃを備えている。ユーザー比較部４５Ｃは、両ユーザーが一致する場合、画像処理部２１Ｃに対して引継有効指示を出力し、両ユーザーが相違する場合、画像処理部２１Ｃに対して引継無効指示を出力する。
【０１１０】
画像形成部１９Ｃは、引継有効指示が入力されると、引継条件を有効としオリジナル印刷条件に適用して引き継ぎを行わせる。一方、画像形成部１９Ｃは、引継無効指示が入力されると、引継条件を無効としてオリジナル印刷条件を適用する。
［画像形成処理］
図１１は、本発明の実施例４に係る画像形成処理のフローチャートである。
【０１１１】
本実施例では、上記実施例１と同様、まずステップＳ１の「引継条件の設定」及びステップＳ２の「印刷ジョブの受け付け」の処理が実行される。その後、ステップＳ２３に移行する。
【０１１２】
ステップＳ２３では、ユーザー比較手順として「ユーザーが一致？」の処理が実行される。すなわち、ユーザー比較部４５Ｃは、引継条件を設定したユーザーと印刷ジョブのユーザーとを比較する。両ユーザーが一致する場合には、画像処理部２１Ｃに対して引継適用指示を出力してステップＳ２４に移行し、両ユーザーが相違する場合には、画像処理部２１Ｃに対して引継無効指示を出力してステップＳ２５に移行する。
【０１１３】
ステップＳ２４では、画像形成手順の一部として「引継条件有効」の処理が実行される。すなわち、画像処理部２１Ｃは、引継条件を有効としオリジナル印刷条件に適用して引き継ぎを行わせる。これにより、ステップＳ２６へ移行する。
【０１１４】
ステップＳ２６では、「出力画像データの形成」の処理を実行し、画像処理部２１Ｃが印刷条件に応じた出力画像データを形成して印刷制御部２３に出力する。これにより、ステップＳ８に移行し、実施例１同様に「印刷出力」の処理を実行する。
【０１１５】
ステップＳ２５では、「引継条件無効」の処理が実行される。すなわち、画像処理部２１Ｃは、引継条件を無効とし、オリジナル印刷条件を優先適用させる。これにより、ステップＳ２６へ移行し、その後の処理を行う。
［実施例４の効果］
本実施例においても、上記実施例１と同様の作用効果を奏することができる。
【０１１６】
加えて、本実施例では、引継条件を指定したユーザーと印刷ジョブのユーザーとを比較するユーザー比較部４５Ｃを備え、画像形成部１９Ｃが、ユーザーが一致する場合に引継条件の適用を有効とする。
【０１１７】
従って、本実施例では、引継条件を指定したユーザーにのみ印刷ジョブに対してのみ引継条件を引き継がせて、そのユーザー所望の印刷物を容易に得ることができるながら、他のユーザーに対して印刷ジョブで設定した印刷条件に応じてユーザー所望の印刷物を得ることができる。
【０１１８】
また、本実施例では、ユーザー毎に引継条件を設定しておけば、ユーザー毎に設定された引継条件を引き継がせて所望の印刷物を容易に得ることができる。
［変形例］
実施例４では、ユーザーの権限に応じて引継条件を有効とすることも可能である。例えば、管理者が引継条件を設定した場合は、全ての印刷ジョブに対して引継条件を有効とする。これにより、所定権限のユーザーが所望する印刷物を容易に得ることができる。
【０１１９】
また、実施例４では、ユーザー毎に引継条件を設定・変更可能にしてもよい。
【０１２０】
実施例４でも、実施例２と同様に、ユーザー端末側からも引継条件を設定可能とする構成を採用してもよい。
［その他］
上記実施例１〜４では、印刷ジョブ間で引き継がれるパラメーターの設定値を指定させていたが、引継条件として引き継がれるパラメーターのみを指定しておいてもよい。この場合は、印刷ジョブにおいて印刷条件が設定されてから所定の時間が経過するまで、その印刷条件でのパラメーターの設定値を引継条件に応じて引き継げばよい。
【符号の説明】
【０１２１】
１，１Ａ，１Ｂ，１Ｃ    画像形成装置
５    操作パネル部
１１  記憶部
１５，１５Ｂ，１５Ｃ  パネル制御部（引継指定部、表示部、選択部）
１９，１９Ｂ，１９Ｃ  画像形成部
３７  プリンタードライバー（選択部）
３９  表示部
４１  ユーティリティー部（引継指定部）
４３  パラメーター比較部
４５  ユーザー比較部
【図１】
2012143952.tif 000003
【図２】
2012143952.tif 000004
【図３】
2012143952.tif 000005
【図４】
2012143952.tif 000006
【図５】
2012143952.tif 000007
【図６】
2012143952.tif 000008
【図７】
2012143952.tif 000009
【図８】
2012143952.tif 000010
【図９】
2012143952.tif 000011
【図１０】
2012143952.tif 000012
【図１１】
2012143952.tif 000013